(57)【要約】【課題】インレットの液体導入側からの液漏れを抑えるウォッシャタンクを提供する。【解決手段】ウォッシャタンクは、キャビンを正常位置から所定角度傾倒可能な車両の前記キャビンに搭載されるものであり、内部にウォッシャ液Ｗを貯留する貯留室Ｒと該貯留室Ｒに対して液体を導入するインレット１３とを有するタンク本体部１０を備える。タンク本体部１０の第１タンク部材１１は、所定角度に傾倒した状態でインレット１３側へのウォッシャ液Ｗの移動を規制する第１及び第２規制リブ１５，１６を有する。第１規制リブ１５は、筒状部１１ｃの延びる方向に沿った方向に延びてインレット１３の貯留室Ｒ側の開口部１３ｃを覆うように設けられる。第２規制リブ１６は、所定角度に傾倒した状態で第１規制リブ１５の基端部より鉛直方向下側に位置してインレット１３の貯留室Ｒ側の開口部１３ｃの一部を覆うように設けられる。【選択図】図１０
2019073224.tif 000002
【特許請求の範囲】
【請求項１】
キャビンを正常位置から所定角度傾倒可能な車両の前記キャビンに搭載されるものであり、内部に液体を貯留する貯留室と該貯留室に対して液体を導入するインレットとを有するタンク本体部を備えたウォッシャタンクであって、
前記タンク本体部は、有底筒状の第１及び第２タンク部材を有し、該第１及び第２タンク部材の開口部同士を対向させた状態で液密に接合されるものであり、
前記第１タンク部材は、前記第２タンク部材よりも相対的に上方に位置するものであり、筒状部と、該筒状部の端部を閉塞する上壁と、前記インレットと、前記所定角度に傾倒した状態で前記インレット側への液体の移動を規制する第１及び第２規制部とを有し、
前記第１規制部は、少なくとも前記筒状部の延びる方向に沿った方向に延びて前記インレットの前記貯留室側の開口部の一部を覆うように設けられ、
前記第２規制部は、前記所定角度に傾倒した状態で前記第１規制部の基端部より鉛直方向下側に位置して前記インレットの前記貯留室側の開口部の一部を覆うように設けられることを特徴とするウォッシャタンク。
【請求項２】
請求項１に記載のウォッシャタンクであって、
前記第２規制部は、前記所定角度に傾倒した状態における相対的に鉛直方向上側に位置する上部が前記第１規制部の相対的に鉛直方向下側に位置する下部と水平方向において重なるとともに、前記上部が前記下部よりも前記インレットにおける外部に面する開口部寄りに設けられることを特徴とするウォッシャタンク。
【請求項３】
請求項２に記載のウォッシャタンクであって、
前記第２規制部は、前記所定角度に傾倒した状態で鉛直方向下側に位置する前記インレットの下側内周面から鉛直方向上側に延出し、前記上部は、前記第２規制部の先端部であり、
前記第１規制部は、前記所定角度に傾倒した状態で鉛直方向上側に位置する前記インレットの上側内周面から鉛直方向下側に延出し、前記下部は、前記第１規制部の先端部であることを特徴とするウォッシャタンク。
【請求項４】
請求項１〜３のいずれか一項に記載のウォッシャタンクであって、
前記第１規制部は、前記インレットの前記貯留室側の開口部を覆う方向に延びる第１壁部を有することを特徴とするウォッシャタンク。
【請求項５】
請求項４に記載のウォッシャタンクであって、
前記第１規制部は、前記正常位置において鉛直方向下側に延びる第２壁部を有することを特徴とするウォッシャタンク。
【請求項６】
請求項５に記載のウォッシャタンクであって、
前記第１規制部は、前記インレットの内周面又は前記上壁から前記第１及び第２壁部の一方が延出し、その延出した先端部から前記第１及び第２壁部の他方が延出することを特徴とするウォッシャタンク。
【請求項７】
請求項１〜６のいずれか一項に記載のウォッシャタンクであって、
前記第１規制部は前記所定角度傾倒時に前記第１規制部の内で鉛直方向下側に位置する切り欠き部を有することを特徴とするウォッシャタンク。
【請求項８】
請求項１〜７のいずれか一項に記載のウォッシャタンクであって、
前記インレットには、前記インレットの開口部を閉塞するキャップが設けられ、
前記キャップは、通気孔を有するキャップ本体部と、前記キャップ本体部の内側に配置されるとともに、前記キャップ本体部の前記通気孔と前記タンク本体部とを連通可能な連通部を有するパッキンとを有し、
前記連通部は、前記所定角度傾倒時における前記第１及び第２規制部によって規制された前記液体の液面よりも鉛直方向上側に設けられることを特徴とするウォッシャタンク。
【発明の詳細な説明】
【技術分野】
【０００１】
本発明は、ウォッシャタンクに関する。
【背景技術】
【０００２】
従来、車両において、ウォッシャ液を貯留する貯留室を有するウォッシャタンクが知られている（例えば特許文献１参照）。
特許文献１のウォッシャタンクは、内部に空気溜まりを形成するための筒状の隔壁が設けられ、隔壁内の空気溜まりによる空気圧によって隔壁内にウォッシャ液が入ることが抑えられている。そして隔壁の突出量を変更して隔壁内の容積を変更することで、ウォッシャタンク内が満水時の場合における液面位置を変えることなく、ウォッシャ液の貯留量を変更することができるようになっている。
【先行技術文献】
【特許文献】
【０００３】
【特許文献１】特開２００５−２３９０８７号公報
【発明の概要】
【発明が解決しようとする課題】
【０００４】
ところで、ウォッシャタンクは、例えばキャビン（車室）がチルト機構によって傾倒する車両のキャビンに設けられることがある。このとき、前記キャビンが傾倒されるとキャビンに設けられるウォッシャタンクも同様に傾倒されることとなる。これにより、ウォッシャタンクのインレットからウォッシャ液が漏れる虞がある。
【０００５】
本発明は、上記課題を解決するためになされたものであって、その目的は、ウォッシャタンクが傾倒した際の液漏れを抑えるウォッシャタンクを提供することにある。
【課題を解決するための手段】
【０００６】
上記課題を解決するウォッシャタンクは、キャビンを正常位置から所定角度傾倒可能な車両の前記キャビンに搭載されるものであり、内部に液体を貯留する貯留室と該貯留室に対して液体を導入するインレットとを有するタンク本体部を備えたウォッシャタンクであって、前記タンク本体部は、有底筒状の第１及び第２タンク部材を有し、該第１及び第２タンク部材の開口部同士を対向させた状態で液密に接合されるものであり、前記第１タンク部材は、前記第２タンク部材よりも相対的に上方に位置するものであり、筒状部と、該筒状部の端部を閉塞する上壁と、前記インレットと、前記所定角度に傾倒した状態で前記インレット側への液体の移動を規制する第１及び第２規制部とを有し、前記第１規制部は、少なくとも前記筒状部の延びる方向に沿った方向に延びて前記インレットの前記貯留室側の開口部の一部を覆うように設けられ、前記第２規制部は、前記所定角度に傾倒した状態で前記第１規制部の基端部より鉛直方向下側に位置して前記インレットの前記貯留室側の開口部の一部を覆うように設けられる。
【０００７】
この構成によれば、筒状部の延びる方向に沿った方向（鉛直方向における下方）に延びる第１規制部とキャビン（ウォッシャタンク）が所定角度に傾斜した状態で第１規制部の基端部より鉛直方向下側に位置して貯留室側の開口部の一部を覆うように設けられる第２規制部とによってウォッシャタンクが所定角度に傾倒した際にインレット側への液体の移動が規制されるため、ウォッシャタンク（インレットの液体導入側）からの液漏れが抑えられる。
【０００８】
上記ウォッシャタンクにおいて、前記第２規制部は、前記所定角度に傾倒した状態における相対的に鉛直方向上側に位置する上部が前記第１規制部の相対的に鉛直方向下側に位置する下部と水平方向において重なるとともに、前記上部が前記下部よりも前記インレットにおける外部に面する開口部寄りに設けられることが好ましい。
【０００９】
この構成によれば、ウォッシャタンクが所定角度に傾倒した状態において第２規制部の上部が第１規制部の下部と水平方向において重なり、上部が下部よりもインレットにおける外部に面する開口部寄りに設けられる。ここで、貯留室内の液体の液面は第１規制部の下部によって規制され、第１規制部の下部よりも前記インレットにおける外部に面する開口部側では前記下部以下となる。そして、前記下部よりも前記インレットにおける外部に面する開口部側に第２規制部の上部が位置するため外部に面する開口部に液体が移動することが規制されることとなる。そのため、インレットからの液漏れを抑えることができる。
【００１０】
上記ウォッシャタンクにおいて、前記第２規制部は、前記所定角度に傾倒した状態で鉛直方向下側に位置する前記インレットの下側内周面から鉛直方向上側に延出し、前記上部は、前記第２規制部の先端部であり、前記第１規制部は、前記所定角度に傾倒した状態で鉛直方向上側に位置する前記インレットの上側内周面から鉛直方向下側に延出し、前記下部は、前記第１規制部の先端部であることが好ましい。
【００１１】
この構成によれば、第２規制部の上部が第２規制部の延出方向における先端部であり、第１規制部の下部が第１規制部の延出方向に先端部であるため、第１規制部及び第２規制部を簡素な構成とすることができる。
【００１２】
上記ウォッシャタンクにおいて、前記第１規制部は、前記インレットの前記貯留室側の開口部を覆う方向に延びる第１壁部を有することが好ましい。
この構成によれば、第１規制部は、インレットの貯留室側の開口部を覆う方向に延びる第１壁部を有することで、開口部の一部が覆われて貯留室側からインレット側への液体の移動を規制することができる。
【００１３】
上記ウォッシャタンクにおいて、第１規制部は、前記正常位置において鉛直方向下側に延びる第２壁部を有することが好ましい。
この構成によれば、第２壁部が正常位置において鉛直方向下側に延びる構成であるため、インレットから貯留室内への液体の導入をする際に第２壁部によって導入が阻害されることが抑えられる。
【００１４】
上記ウォッシャタンクにおいて、第１規制部は、前記インレットの内周面又は前記上壁から前記第１及び第２壁部の一方が延出し、その延出した先端部から前記第１及び前記第２壁部の他方が延出することが好ましい。
【００１５】
この構成によれば、第１規制部を第１壁部及び第２壁部が連続する構成とすることができる。例えば、第１壁部を第１規制部の基端側として、第２壁部を第１規制部の先端側とすると、ウォッシャタンクを例えば所定角度に傾倒させた場合、正常位置において鉛直方向下側に延びる第２壁部の先端側が水平方向よりも下側に傾斜することとなるため、貯留室側の液体の液面の位置を規制することができる。
【００１６】
上記ウォッシャタンクにおいて、前記第１規制部は前記所定角度傾倒時に前記第１規制部の内で鉛直方向下側に位置する切り欠き部を有することが好ましい。
この構成によれば、インレットからウォッシャタンク内にウォッシャ液等の液体を流入させる際に、切り欠き部が設けられることで、第１規制部によるウォッシャタンク内の液体の貯留量の低下が抑えられる。また、切り欠き部は所定角度傾倒時に第１規制部の内で鉛直方向下側に位置するため、第１規制部による上側の部位で液面を調整するため、インレット側への液体の移動を規制する際の影響を抑えることができる。
【００１７】
上記ウォッシャタンクにおいて、前記インレットには、前記インレットの開口部を閉塞するキャップが設けられ、前記キャップは、通気孔を有するキャップ本体部と、前記キャップ本体部の内側に配置されるとともに、前記キャップ本体部の前記通気孔と前記タンク本体部とを連通可能な連通部を有するパッキンとを有し、前記連通部は、前記所定角度傾倒時における前記第１及び第２規制部によって規制された前記液体の液面よりも鉛直方向上側に設けられることが好ましい。
【００１８】
この構成によれば、連通部は、前記所定角度傾倒時における第１及び第２規制部によって規制された前記液体の液面よりも鉛直方向上側に設けられるため、連通部から液体が外部に漏れることが抑えられる。
【発明の効果】
【００１９】
本発明のウォッシャタンクによれば、ウォッシャタンクが傾倒した際の液漏れが抑えられる。
【図面の簡単な説明】
【００２０】
【図１】一実施形態におけるウォッシャタンクを備えた車両の概略構成図であり、（ａ）はキャビンが正常位置にある状態の車両の概略構成図であり、（ｂ）はキャビンが所定角度傾倒された状態の車両の概略構成図である。
【図２】一実施形態におけるウォッシャタンクの概略構成図である。
【図３】同実施形態におけるウォッシャタンクの一部拡大断面図である。
【図４】同実施形態におけるウォッシャタンクの一部拡大断面図である。
【図５】同実施形態におけるウォッシャタンクの第１タンク部材の一部を示す斜視図である。
【図６】同実施形態におけるウォッシャタンクの第１タンク部材の平面図である。
【図７】同実施形態におけるウォッシャタンクのキャップの平面図である。
【図８】図７における８−８線断面図である。
【図９】図７における９−９線断面図である。
【図１０】同実施形態におけるウォッシャタンクを所定角度傾倒させた状態を説明するための説明図である。
【図１１】同実施形態におけるウォッシャタンクを所定角度傾倒させた状態を説明するための説明図である。
【図１２】変形例におけるウォッシャタンクの一部拡大断面図である。
【発明を実施するための形態】
【００２１】
以下、ウォッシャタンクの一実施形態について説明する。
図１（ａ）（ｂ）に示すように、本実施形態のウォッシャタンク１は、例えばキャビン（車室）Ｃ１を傾倒させるチルト機構を有する車両（トラック）Ｃの前記キャビンＣ１下部に設けられるものである。つまり、ウォッシャタンク１は、キャビンＣ１がチルト機構によって所定角度傾倒されることで同様に所定角度傾倒するようになっている。なお、以下の説明において、キャビンＣ１におけるフロントガラスＦＧ側を前方とし、反フロントガラスＦＧ側を後方として説明する。また、鉛直方向上側を上方とし、鉛直方向下側を下方として説明する。
【００２２】
図１（ｂ）に示すように、前記チルト機構によるキャビンＣ１の傾倒時の角度、すなわちウォッシャタンク１の傾倒時の角度（所定角度）は、傾倒していない状態の角度（以降、正常位置の角度という）を０度とした場合に、４５度〜６５度の範囲を想定している。なお、キャビンＣ１のチルト機構による傾倒時の角度は車種によって異なるため、必ずしも前述した範囲でなくてもよい。なお、以下の説明において、特に断りのない限り、ウォッシャタンク１が前記正常位置の角度の状態として説明する。
【００２３】
ウォッシャタンク１は、例えばポリプロピレン等の樹脂材料からなり、車両ＣのフロントガラスＦＧやリヤガラス、ヘッドライト、車外カメラ等に供給するウォッシャ液Ｗ（図１０参照）を貯留するためのものである。
【００２４】
図２に示すように、ウォッシャタンク１は、タンク本体部１０と、キャップ２０とを有する。タンク本体部１０は、相対的に上方に位置する第１タンク部材１１と相対的に下方に位置する第２タンク部材１２とを備える。つまり、第１タンク部材１１は、第２タンク部材の鉛直方向上側に配置される。また、第２タンク部材１２は、第１タンク部材１１の鉛直方向下側に配置される。なお、ウォッシャタンク１には、取付部（不図示）が設けられており、該取付部にて車両に取り付けられている。
【００２５】
第１及び第２タンク部材１１，１２は、共に、略有底筒状をなし、各タンク部材１１，１２の開口部１１ａ，１２ａ同士を対向させた状態で開口部１１ａ，１２ａの周縁外側に延出形成されたフランジ部１１ｂ，１２ｂ同士が全周に亘って熱溶着等により液密に接合されている。これにより、第１及び第２タンク部材１１，１２によって内部に形成される空間は、ウォッシャ液Ｗの貯留のための貯留室Ｒとなる。なお、本実施形態では、第２タンク部材１２が第１タンク部材１１よりも鉛直方向に深い（第２タンク部材１２の鉛直方向長さが第１タンク部材１１鉛直方向長さよりも長い）略有底筒状をなしている。
【００２６】
第１タンク部材１１は、第２タンク部材１２よりも相対的に上方に位置するように設けられる。
第１タンク部材１１は、側壁を構成する筒状部１１ｃと、筒状部１１ｃにおける開口部１１ａ側とは反対側の端部を閉塞する上壁１１ｄとを有して略有底筒状をなしている。換言すると、筒状部１１ｃは、上壁１１ｄの周縁から上壁１１ｄと直交する方向に延びるようになっている。
【００２７】
第１タンク部材１１は、相対的に上側に位置する上壁１１ｄにおける前方に例えば略円筒状のインレット１３が設けられる。インレット１３は、その開口方向が前方かつ上方を向くように形成される。より詳しくは、インレット１３は、上壁１１ｄから上方に延出して途中位置から略４５度前方に傾倒するように構成される。
【００２８】
図２及び図３に示すように、インレット１３は、その先端側（上方側）の導入用開口部１３ａに径方向外側に延出するフランジ部１３ｂを有する。インレット１３の導入用開口部１３ａには導入用開口部１３ａを閉塞するように後述するキャップ２０が取り付けられている。
【００２９】
上壁１１ｄには、その内面１１ｅから下方に延出する筒状の筒状隔壁１４が設けられる。筒状隔壁１４は、ウォッシャタンク１の上部である第１タンク部材１１に該筒状隔壁１４にて全周が覆われた空間Ｒｘが生じるように設けられる。この筒状隔壁１４により、ウォッシャタンク１（貯留室Ｒ）にウォッシャ液を注水しても空間Ｒｘにはウォッシャ液Ｗが満ちることはない。そのため、ウォッシャ液Ｗの凍結時の体積膨張を空間Ｒｘにて吸収（許容）することができ、ウォッシャタンク１の変形や割れの発生を防止できる。
【００３０】
図３〜図６に示すように、インレット１３の基端側（貯留室Ｒ側）の内側開口部１３ｃの周囲には、第１タンク部材１１（タンク本体部１０）の内面から延出する第１及び第２規制部としての第１及び第２規制リブ１５，１６が設けられる。
【００３１】
第１規制リブ１５は、第１壁部１５ａと、第２壁部１５ｂとを有する。第１規制リブ１５は、筒状隔壁１４よりもインレット１３寄りに設けられる。
第１壁部１５ａは、インレット１３の内側開口部１３ｃ寄りの内周面１３ｄから延出形成される。具体的には、第１壁部１５ａは、所定角度傾倒した状態でインレット１３の内周面１３ｄの内で相対的に上側に位置する上側内周面としての上側面１３ｅから延出し、筒状部１１ｃの延びる方向に対して貯留室Ｒ側の内側開口部１３ｃを覆う方向（インレット軸線Ｌ１方向から見た際に内側開口部１３ｃを覆う方向（図３における第２規制リブ１６側の方向））に傾斜するように構成される。また、第１壁部１５ａは、その延出方向が水平方向よりも下側にとなっている。つまり、第１壁部１５ａは、鉛直方向下側向かうにつれ、車両（ウォッシャタンク１）の前方側に向かうように傾斜している。
【００３２】
第２壁部１５ｂは、第１壁部１５ａの先端部から連続して筒状部１１ｃの延びる方向に沿った方向に延びている。より詳しくは、第２壁部１５ｂは、ウォッシャタンク１が正常位置の状態である場合に、第１壁部１５ａの先端部から鉛直方向下側に延びている。つまり、本例の第１規制リブ１５は、第１壁部１５ａが基端側に位置して、第２壁部１５ｂが先端側に位置している。
【００３３】
また、第１規制リブ１５は、その延出方向先端側である第２壁部１５ｂの先端部１５ｃが筒状部１１ｃの下面側のフランジ部１１ｂよりも鉛直方向上側（上壁１１ｄ側）に配置されるように設定されている。また、第１規制リブ１５は、その延出方向先端側である第２壁部１５ｂの先端部１５ｃが前記筒状隔壁１４の下面よりも鉛直方向下側（第２タンク部材１２側）に配置されるように設定されている。なお、第１規制リブ１５（第２壁部１５ｂ）の先端部１５ｃは、第２壁部１５ｂの延出方向先端面の内でウォッシャタンク１の最も後方側に位置する部位である。換言すると、第１規制リブ１５（第２壁部１５ｂ）の先端面の内でウォッシャタンク１が所定角度傾倒した際に最も鉛直方向上側に位置する部位が先端部１５ｃとなる。
【００３４】
図５及び図６に示すように、第１規制リブ１５の第２壁部１５ｂは、第１タンク部材１１を下方から見た時に略Ｌ字状をなすように構成され、各内面１１ｅ，１１ｆとで内側開口部１３ｃを囲むようになっている。
【００３５】
図４〜図６に示すように、第１規制リブ１５の第２壁部１５ｂにはその前方（インレット１３の開口方向寄り）に切り欠き部１５ｄが設けられる。このように、切り欠き部１５ｄが設けられることで、前記正常位置において第１規制リブ１５によるウォッシャタンク１内のウォッシャ液Ｗの貯留量の減少が抑えられる。また、切り欠き部１５ｄが設けられる位置が前方であるため、ウォッシャタンク１を所定角度傾倒させた際に、第１規制リブ１５において相対的に下方に位置することとなるため、第１規制リブ１５（第２壁部１５ｂ）の先端部１５ｃによってインレット１３内におけるウォッシャ液Ｗの液面Ｗ１の規制を行う際の影響を抑えることができる。
【００３６】
図３に示すように、第２規制リブ１６は、貯留室Ｒ側の内側開口部１３ｃの一部を閉塞するようにインレット１３の内側開口部１３ｃの内周面１３ｄの前方側から後方（図３における左側から右側）に向かって延出するように形成される。より具体的には、第２規制リブ１６は、所定角度傾倒した状態でインレット１３の内周面１３ｄの内で相対的に下側に位置する下側内周面としての下側面１３ｆから延出し、正常位置において後方に向かって略水平方向に沿って延出形成される。つまり、第２規制リブ１６は、所定角度に傾倒した状態で第１規制リブ１５の基端よりも鉛直方向下側の位置から延出するように形成される。
【００３７】
図１０に示すように、第２規制リブ１６は、ウォッシャタンク１を所定角度傾倒させた際に、自身の先端部１６ａと第１規制リブ１５の第２壁部１５ｂの先端部１５ｃとが前後方向（図１０における左右方向）において重なるように構成される。換言すると、ウォッシャタンク１を所定角度傾倒させた際に、第２規制リブ１６の先端部１６ａは、第１規制リブ１５の第２壁部１５ｂの先端部１５ｃより鉛直方向上側に配置される。また、第２規制リブ１６は、その先端部１６ａが第１規制リブ１５（第２壁部１５ｂ）の先端部１５ｃよりも導入用開口部１３ａ寄りに設けられる。
【００３８】
また、インレット１３の下側面１３ｆには、導入用開口部１３ａと内側開口部１３ｃとの間の途中位置から、より内側開口部１３ｃ側に位置する第２規制リブ１６にかけて開口面積が狭くなるように所定角度傾斜した状態で上方に傾斜した傾斜部１３ｇを有する。傾斜部１３ｇは、ウォッシャタンク１を所定角度傾倒した状態で、下側面１３ｆにおける傾斜部１３ｇよりも導入用開口部１３ａの部位を基準として上方に傾斜した面を有する。つまり、下側面１３ｆは、ウォッシャタンク１を所定角度傾倒した状態で傾斜部１３ｇによって傾斜部１３ｇを有しない構成と比較して相対的に上方（鉛直方向上側）に位置することとなる。そのため、第２規制リブ１６の延出長さ（延出量）を抑えることができる。
【００３９】
図１０及び図１１に示すように、上記のように構成された第１規制リブ１５は、ウォッシャタンク１を所定角度傾倒させた際に、第２壁部１５ｂの先端部１５ｃによってウォッシャタンク１内（インレット１３の内側開口部１３ｃ付近）におけるウォッシャ液Ｗの液面Ｗ１の上昇が規制されることとなる。このとき、第２規制リブ１６は、自身の先端部１６ａと第１規制リブ１５の第２壁部１５ｂの先端部１５ｃとが前後方向（水平方向）において重なるように構成される。そのため、第２規制リブ１６の先端部１６ａは、ウォッシャ液Ｗの液面Ｗ１よりも鉛直方向上側に位置することとなる。これにより、インレット１３側（導入用開口部１３ａ側）へのウォッシャ液Ｗの移動が規制される。
【００４０】
図７〜図９に示すように、キャップ２０は、キャップ本体部２１と、パッキン２２とを有する。
キャップ本体部２１は、インレット１３のフランジ部１３ｂに係合される係合爪を有する円筒部２３と、円筒部２３の一方の端部側に設けられる底部２４とを有した略有底円筒状をなすように構成される。また、キャップ本体部２１は、円筒部２３の外周に、該円筒部２３の外周面から径方向外側に延出したヒンジ部２３ａと、円筒部２３の外周面から径方向外側に延出した操作部２３ｂとを有する。ヒンジ部２３ａは、インレット１３の開口部１３ａ近傍に取り付けられてキャップ２０の開閉を可能とするものである。操作部２３ｂは、前記ヒンジ部２３ａと円筒部２３の周方向略１８０度反対側に設けられている。
【００４１】
底部２４には、その中央に底部２４から直交する方向に突出する係止突部２４ａが形成されている。また、底部２４には、前記係止突部２４ａからずれた位置において底部２４と略直交する方向に貫通して通気可能な通気孔２４ｂが形成されている。なお、本実施形態では、通気孔２４ｂは、底部２４において係止突部２４ａとヒンジ部２３ａとの間に設けられている。また、通気孔２４ｂは、係止突部２４ａよりヒンジ部２３ａ（円筒部２３）寄りに設けられている。
【００４２】
図７〜図９に示すように、パッキン２２は、キャップ本体部２１の底部２４の形状に倣った円板状をなすように構成される。パッキン２２の中央には前記係止突部２４ａに対応する係止孔２２ａが形成されている。そして、パッキン２２は、その係止孔２２ａに挿入された係止突部２４ａの先端の規制片２４ｃにより抜け止めされた状態でキャップ本体部２１に保持されている。
【００４３】
パッキン２２は、連通部としてのスリット２２ｂを有する。スリット２２ｂは、パッキン２２をキャップ本体部２１に取り付けた状態で、キャップ本体部２１の通気孔２４ｂに対して周方向に略９０度ずれるようになっている。これにより、パッキン２２は、スリット２２ｂが前記通気孔２４ｂに対して迷路構造となるようにキャップ本体部２１に配置されることとなる。スリット２２ｂは、所定角度傾倒時において第１及び第２規制リブ１５，１６によって規制されたウォッシャ液Ｗの液面Ｗ１よりも鉛直方向上側に形成される。なお、本実施形態では、スリット２２ｂは、パッキン２２の中央（係止孔２２ａ）よりパッキン２２の径方向外側端部寄りに設けられている。
【００４４】
次に、本実施形態のウォッシャタンク１の作用を説明する。
本実施形態のウォッシャタンク１は、第１及び第２タンク部材１１，１２からなる貯留室Ｒ内にウォッシャ液Ｗが貯留されている。そしてウォッシャタンク１は、図示しないウォッシャポンプと接続され、該ウォッシャポンプ及びウォッシャノズル（不図示）を介してフロントガラスＦＧ等の洗浄対象にウォッシャ液Ｗを供給（噴射）可能となっている。
【００４５】
また、キャビンＣ１の傾倒に伴ってウォッシャタンク１が正常位置から所定角度傾倒されると、ウォッシャタンク１内のウォッシャ液Ｗがウォッシャタンク１内の貯留室Ｒの形状に倣って移動する。この際、インレット１３の近傍に設けられた第１規制リブ１５によって、インレット１３の内側開口部１３ｃ近傍におけるウォッシャ液Ｗの液面Ｗ１の上昇が規制される。また、第２規制リブ１６の先端部１６ａは、ウォッシャタンク１を所定角度傾倒させた状態で、水平方向において第１規制リブ１５（第２壁部１５ｂ）の先端部１５ｃよりも相対的に上方に位置するため、ウォッシャ液Ｗの液面Ｗ１よりも上方に位置する。これにより、ウォッシャ液Ｗがインレット１３側へ移動することが規制され、ウォッシャタンク１（インレット１３の導入用開口部１３ａ）からの液漏れが抑えられている。
【００４６】
また、インレット１３の導入用開口部１３ａに取り付けられるキャップ２０のパッキン２２には、ウォッシャタンク１が所定角度に傾倒した状態における前記ウォッシャ液Ｗの液面Ｗ１よりも鉛直方向において上側にスリット２２ｂが位置することでスリット２２ｂからの液漏れが抑えられている。これにより、インレット１３（導入用開口部１３ａ）からの液漏れが抑えられている。
【００４７】
次に、本実施形態の効果を記載する。
（１）筒状部１１ｃの延びる方向に沿った方向（鉛直方向における下方）に延びる第１規制リブ１５とキャビンＣ１（ウォッシャタンク１）が所定角度に傾斜した状態で第１規制リブ１５の基端部より鉛直方向下側に位置して内側開口部１３ｃの一部を覆うように設けられる第２規制リブ１６とによってウォッシャタンク１が所定角度に傾倒した状態でインレット１３側へのウォッシャ液Ｗ（液体）の移動が規制されるため、ウォッシャタンク１（インレット１３の導入用開口部１３ａ）からの液漏れが抑えられる。
【００４８】
（２）ウォッシャタンク１が所定角度に傾倒した状態において第２規制リブ１６の先端部１６ａが第１規制リブ１５（第２壁部１５ｂ）の先端部１５ｃと水平方向において重なり、先端部１６ａが先端部１５ｃよりもインレット１３における外部に面する導入用開口部１３ａ寄りに設けられる。ここで、貯留室Ｒ内のウォッシャ液Ｗの液面Ｗ１は第１規制リブ１５の先端部１５ｃによって規制され、第１規制リブ１５の先端部１５ｃよりもインレット１３における外部に面する導入用開口部１３ａ側では先端部１５ｃ以下となる。そして、先端部１５ｃよりもインレット１３における外部に面する導入用開口部１３ａ側に第２規制リブ１６の先端部１６ａが位置するため外部に面する導入用開口部１３ａにウォッシャ液Ｗが移動することが規制されることとなる。そのため、インレット１３の導入用開口部１３ａからの液漏れを抑えることができる。
【００４９】
（３）第２規制リブ１６の上部を第２規制リブ１６の延出方向における先端部１６ａとし、第１規制リブ１５の下部を第１規制リブ１５の延出方向における先端部１５ｃとすることで、第１規制リブ１５及び第２規制リブ１６を簡素な構成とすることができる。
【００５０】
（４）第１規制リブ１５は、インレット１３の貯留室Ｒ側の内側開口部１３ｃを覆う方向に延びる第１壁部１５ａを有することで、内側開口部１３ｃの一部が覆われて貯留室Ｒ側からインレット１３側へのウォッシャ液Ｗの移動を規制することができる。
【００５１】
（５）第２壁部１５ｂが正常位置において鉛直方向下側に延びる構成であるため、インレット１３から貯留室Ｒ内へのウォッシャ液Ｗの導入をする際に第２壁部１５ｂによって導入が阻害されることが抑えられる。
【００５２】
（６）第１規制リブ１５を第１壁部１５ａ及び第２壁部１５ｂが連続する構成とすることができる。そして、第１壁部１５ａを第１規制リブ１５の基端側とし、第２壁部１５ｂを第１規制リブ１５の先端側とすると、ウォッシャタンク１を例えば所定角度に傾倒させた場合、正常位置において鉛直方向下側に延びる第２壁部１５ｂは水平方向よりも下側に傾斜することとなるため、貯留室Ｒ側のウォッシャ液Ｗの液面Ｗ１の位置を規制することができる。
【００５３】
（７）第１壁部１５ａの延出方向が正常位置において水平方向よりも下側に延出するため、ウォッシャタンク１（貯留室Ｒ）内にインレット１３からウォッシャ液Ｗを導入する際に、ウォッシャ液Ｗの導入を阻害することが抑えられる。
【００５４】
（８）インレット１３からウォッシャタンク１内にウォッシャ液Ｗを流入させる際に、切り欠き部１５ｄが設けられることで、第１規制リブ１５によるウォッシャタンク１内のウォッシャ液Ｗの貯留量の低下が抑えられる。また、切り欠き部１５ｄは所定角度傾倒時に第１規制リブ１５の内で鉛直方向下側に位置するため、第１規制リブ１５による上側の部位で液面Ｗ１を調整するため、インレット１３側へのウォッシャ液Ｗの移動を規制する際の影響を抑えることができる。
【００５５】
（９）スリット２２ｂは、前記所定角度傾倒時における第１及び第２規制リブ１５，１６によって規制されたウォッシャ液Ｗの液面Ｗ１よりも鉛直方向上側に設けられるため、スリット２２ｂからウォッシャ液Ｗが外部に漏れることが抑えられる。
【００５６】
（１０）例えば所定角度傾倒時において、インレット１３内における液面Ｗ１の位置を維持させる場合、インレット１３から第１規制リブ１５を離間させるほど、第１規制リブ１５の延出長さを長くする必要がある。そこで、本実施形態では第１規制リブ１５をインレット１３の近傍に設ける構成であるため、第１規制リブ１５の延出長さを短くできる。
【００５７】
（１１）パッキン２２は、スリット２２ｂが通気孔２４ｂに対して迷路構造となるようにキャップ本体部２１に配置されているため、スリット２２ｂから万一ウォッシャ液Ｗが漏れた場合であっても、迷路構造により通気孔２４ｂから外部に漏れることが抑えられる。
【００５８】
なお、上記実施形態は、以下のように変更してもよい。
・上記実施形態では、第１規制部としてインレット１３の内周面１３ｄから第１規制リブ１５が鉛直方向下方に延出するような構成を採用したが、これに限らない。例えば、上壁１１ｄから下方に延出するような構成や、上壁１１ｄの形状を湾曲させることで第１規制リブ１５と同様の効果を奏する構成としてもよい。
【００５９】
・上記実施形態では、第１規制リブ１５の第２壁部１５ｂの延出方向を筒状部１１ｃの延びる方向と平行（同方向）となるように構成したが、これに限らず、筒状部１１ｃと交差する方向に延びる構成としてもよい。例えば所定角度傾倒時において、インレット１３内における液面Ｗ１の位置を維持させる場合、規制リブを筒状部１１ｃの延びる方向から前方側に傾けることで、規制リブの延出長さを短くすることができる。
【００６０】
・上記実施形態では、第１規制リブ１５の第１壁部１５ａをインレット１３の内周面１３ｄから正常位置において水平方向よりも下側に延出する構成としたが、これに限らない。例えば、第１壁部１５ａを水平方向に沿って延出形成してもよい。
【００６１】
・上記実施形態では、第１規制リブ１５として第２壁部１５ｂを有する構成としたが、第２壁部１５ｂを省略した構成を採用してもよい。
・上記実施形態では、第１タンク部材１１を下方から見た時の第１規制リブ１５が略Ｌ字状をなすような構成としたが、これに限定されるものではなく、第１規制リブ１５と各内面１１ｅ，１１ｆとで開口部１３ｃを囲むように構成されていればよい。例えば、第１タンク部材１１を下方から見た時に第１規制リブが前方に開口する略Ｕ字状をなすように構成されていてもよい。
【００６２】
・上記実施形態では、第１規制リブ１５の基端側を第１壁部１５ａとし、先端側を第２壁部１５ｂとしたが、これに限らず、例えば図１２に示すような構成を採用してもよい。
図１２に示すように、第１規制リブ３１は、基端側に位置する第２壁部３１ａと、先端側に位置する第１壁部３１ｂと、を有する。第２壁部３１ａは、上壁１１ｄから筒状部１１ｃの延びる方向（正常位置において鉛直方向下側）に延出する。第１壁部３１ｂは、第２壁部３１ａの先端部から連続して内側開口部１３ｃを覆う方向（ウォッシャタンク１の前方側）に傾斜するように延出する。
【００６３】
・上記実施形態では、第２規制リブ１６の先端部１６ａを上部とし、第１規制リブ１５の先端部１５ｃを下部としたが、これに限らない。例えば、所定角度傾倒した状態で第２規制リブ１６の途中位置において相対的に上側に位置する部分を上部としてもよい。また、所定角度傾倒した状態で第１規制リブ１５の途中位置において相対的に下側に位置する部分を下部としてもよい。
【００６４】
・上記実施形態では、第２規制部としてインレット１３の内周面１３ｄ（下側面１３ｆ）から第２規制リブ１６が水平方向に延出するような構成を採用したが、これに限らない。例えば、前方側に位置する筒状部１１ｃから後方側へ水平に延出するような構成や、前方側に位置する筒状部１１ｃの形状を湾曲させることで第２規制リブ１６と同様の効果を奏する構成としてもよい。
【００６５】
・上記実施形態では、第２規制リブ１６をウォッシャタンク１が正常位置の状態の場合に略水平方向に沿って延出する構成としたが、略水平方向から鉛直方向上側若しくは下側に傾倒する構成を採用してもよい。
【００６６】
・上記実施形態では、切り欠き部１５ｄを設ける構成としたが、省略した構成を採用してもよい。
・上記実施形態では、パッキン２２が連通部としてのスリット２２ｂを有することとしたが、これに限定されることはなく、パッキン２２が連通部を有していればよい。ここで、連通部は、キャップ本体部２１の通気孔２４ｂとタンク本体部１０（貯留室Ｒ）とを連通可能とするものであり、切り込みや貫通孔であってもよい。
【００６７】
・上記実施形態では、スリット２２ｂを所定角度傾倒時における第１及び第２規制リブ１５，１６によって規制されたウォッシャ液Ｗの液面Ｗ１よりも鉛直方向上側に位置するような構成としたが、これに限らない。例えば、スリット２２ｂが液面Ｗ１よりも鉛直方向下側に位置し、キャップ本体部２１の通気孔２４ｂが液面Ｗ１よりも鉛直方向上側に位置する構成としてもよい。つまり、スリット２２ｂ及び通気孔２４ｂの少なくとも一方が液面Ｗ１よりも鉛直方向上方に位置する構成にすればよい。これによってインレット１３からの液漏れを抑えることができる。
【００６８】
・上記実施形態では、スリット２２ｂの位置を通気孔２４ｂの位置に対して周方向に略９０度ずらした迷路構造としたが、これに限定されることはない。例えば、スリット２２ｂの位置と通気孔２４ｂの位置が周方向において同位置となるような構造としてもよい。また、スリット２２ｂの位置を通気孔２４ｂの位置に対して周方向に略１８０度ずらしてもよい。
【００６９】
・上記実施形態では、インレット１３を前方に設ける構成としたが、これに限らず、後方にインレット１３を設ける構成を採用してもよい。また、インレット１３の開口方向を前方を向くように設定したが、これに限らず、その方向は車両Ｃにおける配置構造によって任意に変更可能である。
【００７０】
・上記実施形態並びに各変形例は適宜組み合わせてもよい。
【符号の説明】
【００７１】
１…ウォッシャタンク、１０…タンク本体部、１１…第１タンク部材、１１ａ…開口部、１１ｃ…筒状部、１１ｄ…上壁、１１ｅ…内面、１２…第２タンク部材、１２ａ…開口部、１３…インレット、１３ａ，１３ｃ…開口部、１３ｄ…内周面、１５…第１規制リブ（第１規制部）、１５ａ…第１壁部、１５ｂ…第２壁部、１５ｃ…先端部（下部）、１５ｄ…切り欠き部、１６…第２規制リブ（第２規制部）、１６ａ…先端部（上部）、２０…キャップ、２１…キャップ本体部、２２…パッキン、２２ｂ…スリット（連通部）、２４ｂ…通気孔、３１…第１規制リブ（第１規制部）、３１ａ…第２壁部、３１ｂ…第１壁部、Ｃ…車両、Ｒ…貯留室、Ｃ１…キャビン、Ｗ…ウォッシャ液（液体）、Ｗ１…液面。
【図１】
2019073224.tif 000003
【図２】
2019073224.tif 000004
【図３】
2019073224.tif 000005
【図４】
2019073224.tif 000006
【図５】
2019073224.tif 000007
【図６】
2019073224.tif 000008
【図７】
2019073224.tif 000009
【図８】
2019073224.tif 000010
【図９】
2019073224.tif 000011
【図１０】
2019073224.tif 000012
【図１１】
2019073224.tif 000013
【図１２】
2019073224.tif 000014